【事件の表示】
　特願２００５−３６７６２２号「ドラム式洗濯機」拒絶査定不服審判事件〔平成１９年　５月１０日出願公開、特開２００７−１１１４８０号〕について、次のとおり審決する。
【結　論】
　本件審判の請求は、成り立たない。
【理　由】
１．手続の経緯 
　本願は、平成１７年１２月２１日（優先権主張、平成１７年９月２６日）の出願であって、平成２１年７月１５日付けで拒絶査定がなされ、これに対して、平成２１年１０月２０日に拒絶査定不服審判の請求がされるとともに、同日付けで手続補正（前置補正）がされたものである。 
　 
２．平成２１年１０月２０日付けの手続補正についての補正却下の決定 
［補正却下の決定の結論］ 
　平成２１年１０月２０日付けの手続補正を却下する。 
［理由］ 
（１）補正後の本願発明 
　本件補正により、特許請求の範囲の請求項１は、 
　「【請求項１】
前面に洗濯物の投入口を備えた箱体と、
前記投入口と連通する前面開口を有し且つ前記前面開口側が斜め上向きに傾斜した姿勢にて支持された水槽と、
前記水槽内に回転可能に支持されて洗濯物を収容する脱水槽としてのドラムと、
設置環境側に設けられた水栓が接続される給水口と、
前記ドラム内の洗濯物を乾燥させるために、前記箱体内の前記水槽の下方のスペース内に配置され、圧縮機、熱交換器を含むヒートポンプより構成された乾燥ユニットと、
を備え、
前記箱体底部に設けられた複数の脚部を含む前記箱体の全高を１０００ｍｍ超とし、かつ、前記箱体の上部後方、或いは前記箱体の上部側方の少なくとも一部に、前記水栓との干渉を回避するための空間を形成する切欠き部を設け、前記切欠き部の奥行寸法を１００ｍｍ以上としたことを特徴とするドラム式洗濯機。」と補正された。
　 
　上記補正は、請求項１に記載した発明を特定するために必要な事項である「洗濯物の投入口を備えた箱体」を「前面に洗濯物の投入口を備えた箱体」に、「開口」を「前面開口」に、「前記箱体内に支持された水槽」を「前記前面開口側が斜め上向きに傾斜した姿勢にて支持された水槽」にそれぞれ限定し、さらに「切欠き部」について「前記切欠き部の奥行寸法を１００ｍｍ以上とした」との限定を付すものであって、平成１８年法律第５５号改正附則第３条第１項によりなお従前の例によるとされる同法による改正前の特許法（以下「平成１８年改正前特許法」という。）第１７条の２第４項第２号の特許請求の範囲の減縮を目的とするものに該当する。 
　そこで、本件補正後の前記請求項１に記載された発明（以下「本願補正発明」という。）が特許出願の際独立して特許を受けることができるものであるか（平成１８年改正前特許法第１７条の２第５項において準用する同法第１２６条第５項の規定に適合するか）について以下に検討する。 
　 
（２）引用刊行物 
 （ａ）引用刊行物１ 
　これに対して、原査定の拒絶の理由に引用され、本願に係る優先権主張日よりも前に頒布された特開２００２−３１５９９６号公報（以下「引用刊行物１」という。）には、図１〜８とともに以下の事項が記載されている。 
　　
　ア．「【発明の属する技術分野】本発明は、水平軸又は傾斜軸を中心に回転するドラムを有するドラム式洗濯機に関する。なお、一般にドラム式洗濯機は洗濯から乾燥までを連続的に行うことができるものであることが多い・・・」（段落【０００１】） 
　 
　イ．「図１〜図３に示すように、本ドラム式洗濯機の外形を成す外箱１は斜め上方を向いた前面部１ａを有し、その前面部１ａには略円形状の衣類投入口１ｂが形成され、そこには内部を透視可能な横開き式のドア２が設けられている。外箱１の前面部１ａの上部は後方に湾曲しつつ上面部１ｃに続く曲面部１ｄとなっており、この曲面部１ｄに操作パネル１５と、前方に引き出し可能な洗剤容器３２を引き出すための前面の把手部３２ａとが横に並んで設けられている。外箱１の上面部１ｃの後方には、風呂の残り湯を洗濯に使用するための風呂水ホース給水口２２が設けられ、風呂の浴槽に至る風呂水ホース２２ａの端部が接続される。また、外箱の後面部１ｅの上部には、水道水を供給するための給水口２１が設けられ、水道栓に至る給水ホース２１ａが接続される。 
 　図４に示すように、外箱１の内部には、周面が略円筒形状の外槽３が左右両下側方を支持するダンパ４と上部を牽引する図示しないバネにより適度に揺動自在に保持されている。外槽３の前面部は外箱１の衣類投入口１ｂに相対して円形状に開口しており、この開口部３ａと衣類投入口１ｂとはゴムなどの弾性体から成るシール部材５によって連結されている。 
 　外槽３の内部には、洗濯物を収容するための周面略円筒形状のドラム６が主軸７により軸支されている。すなわち、ドラム６は多数の通水穴６ｅを穿孔した円筒形状の胴部６ａと、衣類投入用の円形の開口部６ｃを有する前面板６ｂと、後面板６ｄとから成り、・・・（中略）・・・外槽３の後面部に装着された軸受固定部材８の軸受９により回転自在に支承されている。 
 　・・・（中略）・・・ 
　図４に明らかなように、ドラム６を内装した外槽３は、ドラム６の中心軸線Ｃ（主軸７の中心軸線と一致する）が水平線Ｈに対して予め定める角度θだけ傾くように前上がり傾斜でもって配置されている。ここで傾斜角度θは例えば５〜３０°程度に設定される。」（段落【００２２】〜【００２６】） 
 
　ウ．「・・・本ドラム式洗濯機では、このような操作パネル１５が外箱１の前面部１ａと上面部１ｃとの間に位置し斜め上方を指向する曲面部１ｄに配置されているため、本洗濯機が通常の据付状態にあるときには、この操作パネル１５は立位姿勢にある使用者が見下ろしたときにほぼ正面となる位置で、且つそのまま（つまり屈んだりすること無しに）指で触るのに最適な高さ及び向きに位置している。・・・」（段落【００３０】） 
 
　エ．「また、給水口２１、バルブユニット２３、洗剤投入部３０が前後方向に略一直線状に配置されているのに対し、風呂水ポンプ２４はポンプケーシング２４ｂがバルブユニット２３及び洗剤投入部３０に近接した状態で上記略一直線状配置に略直交するように左右方向に延伸して配置されている。そのため、両者の結合がスムーズに行えるとともに、外箱１内の上方の空間を適切に活用して、外箱１を大きくすることなく給水部２０及び洗剤投入部３０を配置することができる。」（段落【００３６】） 
 
　オ．図２、４及び５には、外槽３は後部が低くなるように傾斜し、その上部後端は、外箱１の後面部１ｅに近づいて配置され、ドラム６の開口部６ｃは外槽３の前面部の開口部３ａに相対しており、外箱１の底部に複数の脚部を有しており、給水口２１が外箱１の後面部１ｅの上部左側に、風呂水ホース給水口２２が外箱１の上面部１ｃの後方のやや左よりに設けられ、 
 給水口２１、バルブユニット２３、洗剤投入部３０が、外箱１の上部左端で前後方向に略一直線状に配置され、洗剤投入部３０の一部は外槽３の前方において高さ方向で重なっており、風呂水ポンプ２４、バルブユニット２３からなる給水部２０が、上部後端で左右方向に配置され、その給水部２０の下面と外槽３の上面には隙間空間がある態様が図示されている。 
　　　
　上記（ａ）ア．〜エ．の記載事項及びオ．の図示内容を総合すると、引用刊行物１には、以下の発明（以下「引用発明」という。）が記載されていると認められる。 
 「前面部１ａに衣類投入口１ｂが形成された外箱１と、 
外箱１の内部に配設され、衣類投入口１ｂに相対して開口した開口部３ａを有し、かつ、開口部３ａを有する前面部に対して後部が低くなるように傾斜した外槽３と、 
外槽３の内部に回転自在に軸支され、開口部３ａに相対した開口部６ｃを有し、洗濯物を収容する周面略円筒形状のドラム６とを備え、
外箱１の底部に複数の脚部を有し、
外箱１の後面部１ｅの上部左側には、水道栓に至る給水ホース２１ａが接続される給水口２１が設けられ、外箱１の上面部１ｃの後方のやや左よりに風呂水ホース給水口２２が設けられ、
風呂水ポンプ２４、バルブユニット２３からなる給水部２０が、上部後端で左右方向に配置され、その給水部２０の下面と外槽３の上面には隙間空間を有しているドラム式洗濯機。」 
 　 
（ｂ）引用刊行物２ 
　同じく、原査定の拒絶の理由に引用された、本願に係る優先権主張日よりも前に頒布された実願昭４８−７２９３６号（実開昭５０−２２３６６号）のマイクロフイルム（以下「引用刊行物２」という。）には、第１〜５図とともに以下の事項が記載されている。 
 
　ア．「内槽を収納した本体上部に上面板を設置し、この上面板の後方に、前面を化粧板で覆われ、電装部品を収納したパネル部を形成し、このパネル部は化粧板の後方に上面を形成し、この上面にはホース接続口を上向きに取付け、このホース接続口の上端を化粧板の上端よりも低く設けたことを特徴とする洗濯機。」（実用新案登録請求の範囲） 
 
　イ．「従来、たとえば洗濯、すすぎ、脱水の工程を自動的に進める、いわゆる全自動洗濯機においては、洗濯槽と脱水槽を兼用した内槽を設け、洗濯の前やすすぎ中に水道蛇口から接続したホースによリ給水弁を介して内槽上方より給水する。そしてホースと給水弁との接続は本体上部後方のパネル部の後面における左右の中央にてなされていた。 
 　これは、ホースを左右どちらにも出しやすく、後方のためホースが長いときは束ねて置きやすくさらに特に重要なことは、給水弁をパネル内に収納するが、化粧板の前側よりホースを接続するとホースが操作部を横切って操作しにくくなること、さらにはデザイン的にも見苦しくなるためである。 
 　しかしながら後方でホースを接続すると、洗濯機を設置したとき、後方にスぺースを必要とするため相当な隙間を設けて設置しなければならない。」（明細書第１頁第１５行〜第２頁第１０行） 
 
　ウ．「以上の構成のように本考案のパネル部は上面板の後方に設け、給水弁、タイムスイッチ、圧力スイッチ等の電装部品を収納して化粧板にてカバーし、この化粧板の上部より後方にパネル部と一体に上面を形成し、この上面に給水ホースと接続するホース接続口を上方に向けて設けたものである。このため従来の後面に設けたものと比較して、後側にスぺースをとらないため、洗濯機を設置するとき、後側を壁いっぱいにつけることができ、前側のスペースを有効に使用することができる。 
 　さらに従来の後面の場合は給水ホースを接続口に着脱するとき、洗濯機を更に前に寄せてナットをまわさないと着脱しにくく、後面のため操作しにくかった。またホース接続口に鉄粉や砂等の異物がつまったとき見えにくく確認が困難であったが、本考案においてはパネル部上面にホース接続口を設けたため洗濯機を移動することなく着脱が容易に行われ、異物の確認も上方から見ることができる。 
 　さらにタイムスイッチの目盛や圧力スイッチの表示をした前方の化粧板とホース接続口の上面は、分けて化粧板の後方に図に示すように上面を一段と低く構成したため、デザイン的にまとめやすくなった。また上方のため給水ホースは左右どちらからも接続が容易である。 
 　ホース接続口１５の上端３５は化粧板５の上側の上端３６よりａだけ低くなし給水ホース１１のエルボ１３をナット１４を介してホース接続口１５にネジ止めした後は、化粧板５の上端３６より給水ホース側をｂだけ高くなし、パネル部の上面１８は化粧板５の上端３６よりＣだけ低く構成している。即ちホース接続口１５の上端３５はパネル部の上面１８と化粧板５の上端３６の間に位置している。 
　さらにホース接続口１５はパネル部の後面１７より前方にあり、化粧板５の後方のリブ２３より後方にある。 
　上記説明においてホース接続口をパネルの上面に設けることによる特徴は多くあるが反面、化粧板の上端より上方に突出していると、梱包時体積が大きくなるための輸送コストがアップすることは勿論、部分的に突出しているため梱包時パネルの上方より発泡スチロールやダンボール等で押えて支持した状態で輸送すると洗濯機が移動してわずかでもずれるとき接続口に集中して力が加わり破損する恐れがある。さらに化粧板の中央の上にツメを出したようで、外観上見苦しい。 
　また外部からの接触により突出部は破損しやすい。この対策のため本考案においてはホース接続口の上端を化粧板の上端より低くなしたものである。給水ホースを取付けた状態で化粧板の上端よりホースを高く、エルボを介してなしたのは、ナットとエルボの間で回転させて給水ホースを前後左右どちらにもまわせるのは勿論、脱水時の振動により給水ホースが振動して化粧坂の上部をたたき、異常音の発生を防止するものである。」（同第４頁第８行〜第７頁第３行） 
 
　エ．「以上のように本考案によれば、ホース接続口は上向きでかつその上端は化粧板の上端より低いたみ、洗濯機の設置に際してもこのホース接続口がじゃまにならず、また包装、輪送に際してもじゃまにならず、外観も損うことがない等、簡単な構成で所期の目的が達せられる特長を有する。」（同第７頁第７〜１２行） 
 
　オ．第１図、第３図、第５図には、化粧板５の上端３６よりＣだけ低いパネル部の上面１８が、化粧板５の左右に渡って設けられ、図４及び５には、化粧板５の後方で段状に立ち下がった切欠き部が形成されており、パネル部の上面１８につながる態様が図示されている。 
　
（ｃ）引用刊行物３ 
　同じく、原査定の拒絶の理由に引用された、本願に係る優先権主張日よりも前に頒布された特開２００４−１３５７５５号公報（以下「引用刊行物３」という。）には、図１〜６とともに以下の事項が記載されている。 
　
　ア．「【００１２】
【発明が解決しようとする課題】しかしながら、ヒートポンプ装置は、上述したように圧縮機と放熱器と絞り手段と吸熱器とを銅管などの管路で連結して高圧の冷媒を循環させるが、これに強い振動を与えると振動の影響で管路の接続部が緩んだり、管路が共振して疲労破壊を起こして冷媒が漏洩する心配があった。洗濯乾燥機は、単機能の衣類乾燥機とは異なり特に振動が大きい脱水工程を有し、さらに、上記したドラム式の洗濯乾燥機の場合は、横軸型のため縦型の洗濯乾燥機と比較して回転槽の回転振動が大きく、この振動対策が不可欠であった。
【００１３】本発明は、上記従来の課題を解決するもので、ヒートポンプ装置が回転槽の振動の影響を受けにくくして信頼性、耐久性にすぐれた洗濯乾燥機を実現することを目的とする。」
　
　イ．「【００１６】
【発明の実施の形態】本発明の請求項１に記載の発明は、筐体内に弾性支持された水槽と、水槽内に回転可能に設けられ衣類を収容する回転槽と、圧縮機と圧縮された冷媒の熱を放熱する放熱器と高圧の冷媒の圧力を減圧するための絞り手段と減圧されて低圧となった冷媒が周囲から熱を奪う吸熱器とを冷媒が循環するように管路で連結したヒートポンプ装置と、放熱器で加熱した空気を回転槽内へ供給する給気口および送風手段と、送風手段によって回転槽内へ供給された空気を水槽外へ排出する排気口とを具備し、前記ヒートポンプ装置は、前記吸熱器に空気を流す吸熱器風路と、前記放熱器に空気を流す放熱器風路とを有し、前記放熱器風路の出口と前記給気口、および前記吸熱器風路の入口と前記排気口を、各々伸縮自在な接続手段により連結したものであり、水槽の振動がヒートポンプ装置へ直接伝わらないようにすることができ、筐体内のヒートポンプ装置は回転槽の振動の影響を受けず、信頼性、耐久性を向上できる。
・・・中略・・・　　　　　　　　　　　　　　　　　　　　　　　　　　
【００１８】請求項３に記載の発明は、上記請求項１または２に記載の発明において、ヒートポンプ装置を水槽の下部に配設したもので、従来の洗濯乾燥機の構造を大きく変更することなくヒートポンプ装置を筐体内に収容でき、コンパクトで使い勝手の良い洗濯乾燥機が実現できる。」
　
　ウ．「【００３０】水槽３の下部には、ヒートポンプ装置を構成する熱交換器からなる吸熱器３０に矢印ａの方向に空気を流す吸熱器風路３１と、同様に熱交換器からなる放熱器３２に矢印ｂの方向に空気を流す放熱器風路３３とが水平方向に並べて配設され、この吸熱器風路３１と放熱器風路３３とは循環ダクト３４で連通して吸熱器３０および放熱器３２を通過する空気が直線的に流れるようになっている。このように構成することにより、水槽３下部のヒートポンプ装置の高さを低くできるとともに、風路の圧力損失を小さくできる。」
　
　エ．「【００３５】また、ヒートポンプ装置は、圧縮機４１、および圧縮された冷媒の熱を放熱する放熱器３２、および高圧の冷媒の圧力を減圧するための絞り弁や毛細管等からなる絞り手段４２、および減圧されて低圧となった冷媒が周囲から熱を奪う吸熱器３０とを冷媒が循環するように管路４３で連結されており、冷媒は矢印４４の方向に流れて循環し、ヒートポンプサイクルを実現する。この冷媒にはエアコンや冷蔵庫で使用されるフロン系のものを用いても良いが、炭酸ガスを冷媒とすればさらに高温の熱を放出することが可能となり、衣類の乾燥に適する。」
　
　オ．「【００４０】乾燥工程では、ヒートポンプ装置の圧縮機４１を作動させると、冷媒が圧縮され、この圧力により放熱器３１、絞り手段４２、吸熱器３０を循環する。放熱器３２では冷媒の圧縮で熱が放出され、吸熱器３０では絞り手段４２で減圧されて低圧となった冷媒により熱が吸収される。このとき送風機１２が作動し、放熱器３２の放熱により加熱された温風が給気ダクト２０を通って給気口１４から回転槽５内に送風される。回転槽５は駆動モータ６により回転駆動され衣類４は上下に撹拌される。」
　
　上記の（ｃ）ア．〜オ．の記載事項及び図２の図示内容からみて、以下のことが記載されていることが明らかである。
・ドラム式の洗濯乾燥機において、回転槽５内の衣類を乾燥させるために、圧縮機４１、熱交換器からなる吸熱器３０を含むヒートポンプ装置より構成された乾燥機が筐体内の水槽３の下部に配置されている。（以下「引用刊行物３の記載事項」という。）
　
３．対比・判断 
（１）本願補正発明と引用発明とを対比すると、両者はともに「ドラム式洗濯機」であって、その機能・構造からみて、引用発明の「外箱１」は本願補正発明の「箱体」に相当し、以下同様に、「前面部１ａ」は「前面」に、「衣類投入口１ｂ」は「洗濯物の投入口」に、「開口部３ａ」は「前面開口」に、「外槽３」は「水槽」に、「給水口２１」は「給水口」にそれぞれ相当している。引用発明の「洗濯物を収容する周面略円筒形状のドラム６」は脱水槽であることが明らかであるので、本願補正発明の「洗濯物を収容する脱水槽としてのドラム」に相当している。 
　水槽について、引用発明の「外箱１の衣類投入口１ｂに相対して円形状に開口した開口部３ａを有し」は、本願補正発明の「投入口と連通する前面開口を有し」に、引用発明の「前面部１ａに対して後部が低くなるように傾斜した」は、本願補正発明の「前面開口側が斜め上向きに傾斜した姿勢にて支持された」にそれぞれ相当する。 
　ドラムについて、引用発明の「外槽３の内部に回転自在に軸支された」は本願補正発明の「水槽内に回転可能に支持されて」に相当する。 
　また、引用発明の「水道栓」は、水道水を給水ホース２１ａを介して給水口２１に供給するものであるから、本願補正発明の「設置環境側に設けられた水栓」に相当している。　
　そうすると、両者は、 
「前面に洗濯物の投入口を備えた箱体と、
前記投入口と連通する前面開口を有し且つ前記前面開口側が斜め上向きに傾斜した姿勢にて支持された水槽と、
前記水槽内に回転可能に支持されて洗濯物を収容する脱水槽としてのドラムと、
設置環境側に設けられた水栓が接続される給水口と、
を備えたことを特徴とするドラム式洗濯機。」
である点で一致し、以下の点で相違しているものと認められる。 
　　
相違点１：本願補正発明が「ドラム内の洗濯物を乾燥させるために、箱体内の水槽の下方のスペース内に配置され、圧縮機、熱交換器を含むヒートポンプより構成された乾燥ユニット」を備えているのに対して、引用発明はそのような乾燥ユニットを有していない点。 
　
相違点２：本願補正発明が「箱体底部に設けられた複数の脚部を含む前記箱体の全高を１０００ｍｍ超とし、かつ、前記箱体の上部後方、或いは前記箱体の上部側方の少なくとも一部に、前記水栓との干渉を回避するための空間を形成する切欠き部を設け、前記切欠き部の奥行寸法を１００ｍｍ以上とした」のに対して、引用発明はそのような切欠き部を有しておらず、箱体の全高も不明である点。 
　　 
（２）以下、相違点について検討する。
（ａ）相違点１について   
　上記引用刊行物３には「ドラム式の洗濯乾燥機において、回転槽５内の衣類を乾燥させるために、圧縮機４１、熱交換器からなる吸熱器３０を含むヒートポンプ装置より構成された乾燥機が筐体内の水槽３の下部に配置されている。」（引用刊行物３の記載事項を参照）が記載されている。
  ここで、「回転槽５」は本願補正発明の「ドラム」に、以下同様に、「衣類」は「洗濯物」に、「圧縮機４１」は「圧縮機」に、「熱交換器からなる吸熱器３０」は「熱交換器」に、「ヒートポンプ装置」は「ヒートポンプ」に、「筐体」は「箱体」に、「水槽３の下部に」は「水槽の下方のスペース内に」に、「乾燥機」は「乾燥ユニット」にそれぞれ相当しているから、上記の記載は「ドラム式の洗濯乾燥機において、ドラム内の洗濯物を乾燥させるために、圧縮機、熱交換器を含むヒートポンプより構成された乾燥ユニットが箱体内の水槽の下方のスペース内に配置されている。」と言い替えることができる。
  また、一般にドラム式洗濯機は洗濯から乾燥までを連続的に行うことができるものであることが多い（上記２．（２）（ａ）ア．参照）ので、引用発明のドラム式洗濯機に乾燥機を備えることに阻害要因はない。
　そうすると、引用発明のドラム式洗濯機に引用刊行物３の記載事項を適用して、上記相違点１の本願補正発明の構成となすことに何ら困難性を有するものとは認められない。
 
（ｂ）相違点２について
　一般に、洗濯機では設置面積の制約があるので、容量を大きくすれば全高を高くすることになり、引用発明において、箱体底部に設けられた複数の脚部を含む外箱１の全高を１０００ｍｍ超の高さとすることは当業者が適宜なし得る程度の接計的な事項である。
　
　次に、上記引用刊行物２には、洗濯機の後面に給水ホースの接続口があることによる欠点を解消すべく、洗濯機の本体上部の後方に設けられ、前面を化粧板５で覆われたパネル部の、化粧板５の後方に、段状に立ち下がった切欠き部が形成されており、化粧板５の上端３６よりＣだけ低いパネル部の上面１８を化粧板５の左右に渡って設け、そこにホース接続口１５を設けることが示されている。 
　そしてそのことにより、洗濯機の設置に際してもこのホース接続口がじゃまにならず、後側を壁いっぱいにつけることができ、給水ホースは左右どちらからも接続が容易であり、また包装、輪送に際してもじゃまにならず、化粧板の後方に図に示すように上面を一段と低く構成したため、デザイン的にまとめやすく、外観も損なうことがない等の効果を有するものである。 
　また、切欠き部について、本願補正発明は、「水栓との干渉を回避するための空間を形成する」ものである。当該記載は、「もたらされる結果」により発明を特定しようとするものであって、切欠き部の底面の高さ、水栓の高さや大きさ、ドラム式洗濯機の後端と水栓との距離が不明であるので当該記載だけでは不明瞭であるから、引用刊行物２に記載される切欠き部の空間であっても、その空間部分で水栓との干渉を回避して設置可能であるものと認められる。
　そうすると、引用発明において、外箱１内の上部後端で左右方向に配置されている給水部２０の下面と外槽３の上面に生じている隙間空間を外箱１を大きくすることなく外箱１内の上方の空間を適切に活用すること（上記２．（２）エ．参照）を念頭に置きつつ、洗濯機の外箱の後面に設けられている給水ホースの接続口に係る構成について、引用刊行物２に記載の事項に倣って、給水ホースの接続口を設けるべく、外箱１の上面部１ｃの後端部分を左右に渡って、切欠き部により低くすることは当業者が容易になし得たことであり、その結果、水栓との干渉を回避するための空間を形成するという効果も当然に有するものといえる。 
　そして、その際、引用発明のドラム式洗濯機は、上部後端で左右方向に配置された給水部２０の下面と外槽３の上面には隙間空間を有するものであるから、上記のように切欠き部を構成するとき、切欠き部を水槽の後部から上方へ切り欠き、その奥行き面を水槽の後端よりも、外箱の前後方向において前方に位置させることも当業者であれば通常なし得る程度の事項であり、その奥行寸法を１００ｍｍ以上としたことも、その数値限定は設計的な事項であるといわざるを得ない。
　
　なお、引用刊行物１の図４では、給水口が水槽の後端より前方に位置しており、引用発明の外箱１の上面部１ｃに設けられる風呂水ホース給水口２２も図４に水槽の後端より前方に位置することが図示されている。 
　
（ｃ）本願補正発明の効果も、引用発明及び引用刊行物２、３に記載の技術が有する効果の総和を超えるものではなく、当業者が予測し得る範囲内のものである。  
　したがって、本願補正発明は、引用発明、引用刊行物２、３に記載の技術的事項に基づいて、当業者が容易に発明をすることができたものであるから、特許法第２９条第２項の規定により特許出願の際独立して特許を受けることができないものである。
　　
（３）ところで、請求人は当審における審尋の回答書（平成２２年８月１６日付け）において、引用発明（引用刊行物１）には本願補正発明の課題は生じておらず、引用刊行物２と組み合わせる必然性がない旨、主張している。 
　しかしながら、引用刊行物１には、２．（２）（ａ）エ．に摘示した事項、すなわち「外箱１内の上方の空間を適切に活用して、外箱１を大きくすることなく給水部２０及び洗剤投入部３０を配置することができる。」が記載されており、図４をみると、２．（２）（ａ）オ．に摘示したように、引用発明には、上部後端に配置された給水部２０の下面と外槽３の上面には隙間空間が形成され、さらに、洗剤投入部３０の一部は外槽３の前方において高さ方向で重なっている。このことは、当業者に、外槽３の上部がドラム６と同様の円筒形状であるために左右両端に空間があって、そこに洗剤投入部３０が配置されていることを想起させるものといえる。 
　そして、引用発明において、斜めドラムの外箱１内の上部後方の隙間空間を有効に活用することは設計上、当然配慮することであり、引用刊行物２の記載に接した当業者が、給水部２０や洗剤投入部３０の配置や形状を変更したり、また、外槽３の傾きや形状、さらに外箱１の形状等も変更して、本願補正発明のような切欠き部の空間を形成することに格別の困難性を要するものとはいえない。
　　　
（４）むすび
　以上のとおり、本件補正は、平成１８年改正前特許法第１７条の２第５項において準用する同法第１２６条第５項の規定に違反するので、同法第１５９条第１項において読み替えて準用する同法第５３条第１項の規定により却下されるべきものである。
　
４．本願発明について
　平成２１年１０月２０日付けの手続補正は上記のとおり却下されたので、本願の請求項１に係る発明（以下「本願発明」という。）は、平成２１年６月２２日付け手続補正書により補正された特許請求の範囲の請求項１〜１８に記載された事項により特定されるものと認められるところ、請求項１は以下のとおりのものである。
「【請求項１】
洗濯物の投入口を備えた箱体と、
前記投入口と連通する開口を有して前記箱体内に支持された水槽と、
前記水槽内に回転可能に支持されて洗濯物を収容する脱水槽としてのドラムと、
設置環境側に設けられた水栓が接続される給水口と、
前記ドラム内の洗濯物を乾燥させるために、前記箱体内の前記水槽の下方のスペース内に配置され、圧縮機、熱交換器を含むヒートポンプより構成された乾燥ユニットと、
を備え、
前記箱体底部に設けられた複数の脚部を含む前記箱体の全高を１０００ｍｍ超とし、かつ、前記箱体の上部後方、或いは前記箱体の上部側方の少なくとも一部に、前記水栓との干渉を回避するための空間を形成する切欠き部を設けたことを特徴とするドラム式洗濯機。」
　
（１）引用刊行物
　原査定の拒絶の理由に引用された引用刊行物、及びその記載事項は、前記２．（２）に記載したとおりである。
　
（２）対比・判断
　本願発明は、前記３．で検討した本願補正発明から、前記限定事項を省いたものに相当する。
　そうすると、本願発明の構成要件をすべて含み、さらに他の構成要件を付加したものに相当する本願補正発明が、前記３．（２）に記載したとおり、引用発明、引用刊行物２、３に記載の技術的事項に基づいて、当業者が容易に発明をすることができたものであるから、本願発明も同様の理由により、当業者が容易に発明をすることができたものである。
　
（３）むすび
　以上のとおりであるから、本願発明は、特許法第２９条第２項の規定により特許を受けることができない。  
　そうすると、このような特許を受けることができない発明を包含する本願は、他の請求項について検討するまでもなく拒絶されるべきものである。
　よって、結論のとおり審決する。